(57)【要約】【課題】引下線又は縁線を容易に保持できる間接活線工事用電線グリップを提供する。【解決手段】電線グリップ１０は、塑性変形自在な線条体１と一対の固定具２・２を備える。線条体１は、引下線Ｗｄの外周を螺旋状に巻回できる。一対の固定具２・２は、それらの先端部を線条体１の両端部に固定している。固定具２は、屈曲自在なヒンジ部２１ｈ、一対の鍔片２２ａ・２２ｂ、及び、一対の導入凹部２３・２３を有する。一対の導入凹部２３・２３には、引下線Ｗｄをその外周方向から導入できる。一対の鍔片２２ａ・２２ｂを閉じた状態では、一対の導入凹部２３・２３は、引下線Ｗｄを外周方向から挟持できる。一方の固定具２を引下線Ｗｄに固定し、他方の固定具２を絶縁操作棒５で把持して、線条体１を引下線Ｗｄに巻き付けた後に、他方の固定具２を引下線Ｗｄに固定することで、引下線Ｗｄを容易に保持できる。【選択図】図１
2018011402.tif 000002
【特許請求の範囲】
【請求項１】
開閉自在な一対の把持腕を先端部に有する絶縁操作棒を用いて、少なくとも碍子から延出した引下線又は縁線を保持する間接活線工事用電線グリップであって、
前記引下線の外周又は前記縁線の外周を螺旋状に巻回できる塑性変形自在な線条体と、
先端部を前記線条体の両端部に固定し、前記絶縁操作棒で操作自在な一対の固定具と、を備え、
前記固定具は、
当該固定具の先端部に連続して形成し、屈曲自在なヒンジ部と、
前記ヒンジ部から延出し、開閉自在に構成すると共に、対向面が互いに当接できる一対の鍔片と、
前記ヒンジ部と一対の前記鍔片の間に形成し、前記引下線又は前記縁線を外周方向から導入自在な導入凹部と、を有し、
一対の前記鍔片を閉じた状態では、一対の前記導入凹部は、前記引下線又は前記縁線を挟持している、間接活線工事用電線グリップ。
【請求項２】
前記導入凹部は、前記引下線の外周又は前記縁線の外周に当接自在な複数の突片を内壁から突出している、請求項１記載の間接活線工事用電線グリップ。
【請求項３】
前記線条体は、絶縁性を有する被覆材で外周が覆われている請求項１又は２記載の間接活線工事用電線グリップ。
【請求項４】
一方の前記鍔片は、他方の前記鍔片に向かって突出した突起を有し、
他方の前記鍔片は、前記突起に嵌合する係止穴を開口している、請求項１から３のいずれかに記載の間接活線工事用電線グリップ。
【発明の詳細な説明】
【技術分野】
【０００１】
本発明は、間接活線工事用電線グリップに関する。特に、電柱に架設した高圧配電線から分岐し、電柱の中間部に配置された腕金に至る引下線、又は、この腕金から装柱物に至る縁線を保持する間接活線工事用電線グリップの構造に関する。
【背景技術】
【０００２】
例えば、電柱には、変圧器を上部に設置している。そして、電柱に架設した高圧の配電線から分岐し、腕金に向かって下方に引き下げられた引下線、及び、引下線の末端を支持する引留碍子を介して、引下線に連続する縁線が変圧器に接続している。このような装柱構造は、例えば、特許文献１の従来技術に開示されている。
【０００３】
又、引下線を巻回した引留碍子から引下線が容易に離脱しないように、引下線の二重に重なる複線部を巻回自在な波状部を備えた螺旋状の高圧引下線グリップが開示されている（例えば、特許文献２参照）。
【先行技術文献】
【特許文献】
【０００４】
【特許文献１】特開平９−３０８０６２号公報
【特許文献１】特開２００８−９２６８７号公報
【発明の概要】
【発明が解決しようとする課題】
【０００５】
図９は、従来技術による装柱構造を示す斜視図である。なお、本願の図９は、特許文献１の図７に相当している。図９を参照すると、電柱Ｐは、第１の腕金Ａ１を上部に固定している。又、電柱Ｐは、第２の腕金Ａ２を中間部に固定している。第１の腕金Ａ１は、第３の腕金Ａ３を一端部側に固定している。又、第２の腕金Ａ２は、第４の腕金Ａ４を一端部側に固定している。更に、電柱Ｐは、一組の変圧器Ｔ・Ｔを中間部に設置している。
【０００６】
図９を参照すると、第１の腕金Ａ１は、複数のピン碍子Ｐｉを上面に固定している。ピン碍子Ｐｉは、高圧の配電線Ｗを架設している。第３の腕金Ａ３は、複数の引留碍子Ｔｉを固定している。同様に、第４の腕金Ａ４は、複数の引留碍子Ｔｉを固定している。
【０００７】
図９を参照すると、高圧の配電線Ｗから分岐した配電線Ｗは、上方側の引留碍子Ｔｉに巻回されている。そして、配電線Ｗは、上方側の引留碍子Ｔｉから下方側の引留碍子Ｔｉに向かって、引下線Ｗｄを延出している。
【０００８】
図９を参照すると、引下線Ｗｄは、その末端部を下方側の引留碍子Ｔｉに巻回した後に、円筒型カットアウトＣｏの入力端子に接続している。なお、下方側の引留碍子Ｔｉから円筒型カットアウトＣｏの入力端子に至る、配電線Ｗの弛んだ経路は、縁線Ｗｅと呼ばれている。
【０００９】
図９を参照すると、円筒型カットアウトＣｏの出力端子と変圧器Ｔは、縁線Ｗｅで接続している。そして、変圧器Ｔで変圧された電力が各家庭などに供給されている。
【００１０】
図９を参照して、引下線Ｗｄの両端部には、半導電性グリップ（図示せず）と呼ばれるバインド線を巻き付けている。そして、自然風に起因する振動により、引下線Ｗｄの支持端が断線することを防止している。同様に、下方側の引留碍子Ｔｉから円筒型カットアウトＣｏに至る縁線Ｗｅには、半導電性グリップ（図示せず）を巻付けて、縁線Ｗｅの断線を防止している。
【００１１】
図１０は、従来技術による半導電性グリップの構成を示す図であり、図１０（Ａ）は、半導電性グリップの斜視図、図１０（Ｂ）は、半導電性グリップの端部を拡大した斜視図、図１０（Ｃ）は、半導電性グリップの端部を拡大した縦断面図である。
【００１２】
図１０を参照すると、従来技術による半導電性グリップ９は、螺旋状に形成した線条体９１と一対の合成樹脂製の端末キャップ９２・９２を備えている。一対の端末キャップ９２・９２は、線条体９１の端末９１ｆを防水自在に、モールディングにより一体成形している。
【００１３】
図１０（Ｃ）を参照すると、線条体９１は、芯線９１ａと芯線９１ａの外周を被覆した被覆材９１ｂで構成している。芯線９１ａは、複数の亜鉛めっき鋼線をＳ撚りしている。被覆材９１ｂは、半導電性を有するポリエチレン樹脂で構成している。そして、被覆材９１ｂは、芯線９１ａの回りを楕円形状に覆っている。
【００１４】
半導電性グリップ９は、芯線９１ａを鋼線で形成することで、引下線Ｗｄを巻き付けた状態では、真直状態を維持できる。又、被覆材９１ｂをポリエチレン樹脂で構成することで、芯線９１ａを電気的に絶縁でき、引下線Ｗｄとの滑りを抑制できる。
【００１５】
しかしながら、先端部の一対の把持腕を有する絶縁操作棒、いわゆる、絶縁ヤットコなどの間接活線工具を用いて、半導電性グリップ９を引留碍子Ｔｉから延出した引下線Ｗｄ又は縁線Ｗｅに巻き付けることは困難であるという問題がある。引下線Ｗｄ又は縁線Ｗｅは、張力が付与されていない状態で、引留碍子Ｔｉに係留しているので、絶縁ヤットコなどの間接活線工具を用いて、ばね性を有する半導電性グリップ９を引下線Ｗｄ又は縁線Ｗｅに巻き付けることは困難であるからである。
【００１６】
絶縁ヤットコなどの間接活線工具を用いて、碍子から延出した引下線又は縁線を容易に保持できる間接活線工事用電線グリップが求められている。そして、以上のことが本発明の課題といってよい。
【００１７】
本発明は、このような課題に鑑みてなされたものであり、碍子から延出した引下線又は縁線を容易に保持できる間接活線工事用電線グリップを提供することを目的とする。
【課題を解決するための手段】
【００１８】
本発明者は、碍子から延出した引下線又は縁線を巻回できる塑性変形自在な線条体と、線条体の両端部を先端部に固定し、絶縁操作棒で操作自在な一対の固定具で間接活線工事用電線グリップを構成し、固定具は、一端部側を屈曲自在に連結し、他端部側を開閉自在に構成した一対の把持片を備え、これらの把持片は、引下線又は縁線を外周方向から導入自在な導入凹部と、互いに係脱自在な鍔片と、有し、電線導入部には、一対の把持片を閉じた状態で、引下線又は縁線を外周方向から挟持することで、開閉自在な一対の把持腕を先端部に有する絶縁操作棒を用いて、引下線又は縁線を容易に保持できると考え、これに基づいて、以下のような新たな間接活線工事用電線グリップを発明するに至った。
【００１９】
（１）本発明による間接活線工事用電線グリップは、開閉自在な一対の把持腕を先端部に有する絶縁操作棒を用いて、少なくとも碍子から延出した引下線又は縁線を保持する間接活線工事用電線グリップであって、前記引下線の外周又は前記縁線の外周を螺旋状に巻回できる塑性変形自在な線条体と、先端部を前記線条体の両端部に固定し、前記絶縁操作棒で操作自在な一対の固定具と、を備え、前記固定具は、当該固定具の先端部に連続して形成し、屈曲自在なヒンジ部と、前記ヒンジ部から延出し、開閉自在に構成すると共に、対向面が互いに当接できる一対の鍔片と、前記ヒンジ部と一対の前記鍔片の間に形成し、前記引下線又は前記縁線を外周方向から導入自在な導入凹部と、を有し、一対の前記鍔片を閉じた状態では、一対の前記導入凹部は、前記引下線又は前記縁線を挟持している。
【００２０】
（２）前記導入凹部は、前記引下線の外周又は前記縁線の外周に当接自在な複数の突片を内壁から突出していることが好ましい。
【００２１】
（３）前記線条体は、絶縁性を有する被覆材で外周が覆われていることが好ましい。
【００２２】
（４）一方の前記鍔片は、他方の前記鍔片に向かって突出した突起を有し、他方の前記鍔片は、前記突起に嵌合する係止穴を開口していることが好ましい。
【発明の効果】
【００２３】
本発明による間接活線工事用電線グリップは、引下線又は縁線を螺旋状に巻回できる塑性変形自在な線条体と、線条体の両端部を先端部に固定し、絶縁操作棒で操作自在な一対の固定具と、を備え、一方の固定具を引下線又は縁線に固定し、他方の固定具を絶縁操作棒で把持して、線条体を引下線又は縁線に巻き付けた後に、他方の固定具を引下線又は縁線に固定することで、碍子から延出した引下線又は縁線を容易に保持できる。
【図面の簡単な説明】
【００２４】
【図１】本発明の一実施形態による間接活線工事用電線グリップの構成を示す斜視図であり、線条体を引下線の外周に巻き付けた状態図である。
【図２】前記実施形態による間接活線工事用電線グリップの構成を示す斜視図であり、線条体を引下線の外周に巻き付ける前の状態図である。
【図３】前記実施形態による間接活線工事用電線グリップの構成を示す斜視図であり、一対の鍔片を開いた状態図である。
【図４】前記実施形態による間接活線工事用電線グリップに備わる固定具の構成を示す図であり、図４（Ａ）は、固定具の正面図、図４（Ｂ）は、固定具の右側面図である。
【図５】前記実施形態による間接活線工事用電線グリップに備わる固定具の構成を示す右側面図であり、一対の鍔片を開いた状態図である。
【図６】本発明に係る絶縁操作棒の一例による構成を示す正面図である。
【図７】図６の要部を拡大した正面図である。
【図８】図７の左側面図である。
【図９】従来技術による装柱構造を示す斜視図である。
【図１０】従来技術による半導電性グリップの構成を示す図であり、図１０（Ａ）は、半導電性グリップの斜視図、図１０（Ｂ）は、半導電性グリップの端部を拡大した斜視図、図１０（Ｃ）は、半導電性グリップの端部を拡大した縦断面図である。
【発明を実施するための形態】
【００２５】
以下、図面を参照して本発明を実施するための形態を説明する。
【００２６】
（絶縁操作棒の構成）
最初に、本発明の一実施形態による間接活線工事用電線グリップの構成を説明する前に、間接活線工事用電線グリップを操作するための絶縁操作棒の一例による構成を説明する。
【００２７】
図６は、本発明に係る絶縁操作棒の一例による構成を示す正面図である。図７は、図６の要部を拡大した正面図である。図８は、図７の左側面図である。
【００２８】
図６から図８を参照すると、絶縁操作棒５は、長尺の操作棒５１と把持工具５２で構成している。又、絶縁操作棒５は、作動棒５３を備えている。把持工具５２は、操作棒５１の先端部に取り付けている。
【００２９】
図６又は図７を参照すると、把持工具５２は、開閉する一対の湾曲した把持腕５ａ・５ｂで構成している。そして、一方の把持腕５ａは、基端部が固定された固定腕であり、他方の把持腕５ｂは、一方の把持腕５ａの基端部に設けた回動軸５ｃを中心に回動する可動腕となっている。
【００３０】
図６を参照すると、作動棒５３は、操作棒５１に沿って保持されている。作動棒５３の先端部は、他方の把持腕５ｂに回動自在に連結している。そして、作動棒５３の基端部に設けた操作レバー５４を操作すると、一方の把持腕５ａに対して、他方の把持腕５ｂを開閉できる。絶縁操作棒５は、操作棒５１及び作動棒５３の中間部が絶縁性を有するプラスチックパイプなどで構成され、間接活線工法に好適なように、絶縁性を確保している。
【００３１】
図６を参照して、操作レバー５４を握って、操作レバー５４を操作棒５１に近づけると、一方の把持腕５ａに対して、他方の把持腕５ｂを閉じることができる。操作レバー５４を解放すると、操作レバー５４に連結したばね（図示せず）の力で、一方の把持腕５ａに対して、他方の把持腕５ｂを開くことができる。図６又は図７は、一方の把持腕５ａに対して、他方の把持腕５ｂが最大に開いた状態を示している。
【００３２】
図７又は図８を参照して、一方の把持腕５ａは、先細り状の把持爪５１ａを突出している。把持爪５１ａは、把持面５０ａを形成している。把持面５０ａは、回動軸５ｃの回転中心から遠心方向に沿って略平行に形成されている。同様に、他方の把持腕５ｂは、先細り状の把持爪５１ｂを突出している。把持爪５１ｂは、把持面５０ｂを形成している。把持面５０ｂは、把持面５０ａと所定の開角を設けて配置されている。図６又は図７を参照して、操作レバー５４を握ると、把持面５０ｂを把持面５０ａに近づけることができる。
【００３３】
図６から図８に示した絶縁操作棒５は、高所に配置された高圧配電線などを一対の把持爪５１ａ・５１ｂで把持できる、いわゆる「絶縁ヤットコ」になっている。
【００３４】
［間接活線工事用電線グリップの構成］
（全体構成）
次に、本発明の一実施形態による間接活線工事用電線グリップの構成を説明する。
【００３５】
図１は、本発明の一実施形態による間接活線工事用電線グリップの構成を示す斜視図であり、線条体を引下線の外周に巻き付けた状態図である。図２は、前記実施形態による間接活線工事用電線グリップの構成を示す斜視図であり、線条体を引下線の外周に巻き付ける前の状態図である。
【００３６】
図３は、前記実施形態による間接活線工事用電線グリップの構成を示す斜視図であり、一対の鍔片を開いた状態図である。図４は、前記実施形態による間接活線工事用電線グリップに備わる固定具の構成を示す図であり、図４（Ａ）は、固定具の正面図、図４（Ｂ）は、固定具の右側面図である。
【００３７】
図５は、前記実施形態による間接活線工事用電線グリップに備わる固定具の構成を示す右側面図であり、一対の鍔片を開いた状態図である。
【００３８】
なお、従来技術で使用した符号と同じ符号を付した構成品は、その作用を同一にするので、以下、説明を省略することがある。又、実施形態による間接活線工事用電線グリップで保持される電線は、引出線を代表として以下、説明する。
【００３９】
図１から図５を参照すると、本発明の一実施形態による間接活線工事用電線グリップ（以下、電線グリップと略称する）１０は、塑性変形自在な線条体１と一対の固定具２・２を備えている。
【００４０】
図１から図５を参照すると、線条体１は、引下線Ｗｄの外周を螺旋状に巻回できる（図１参照）。一対の固定具２・２は、それらの先端部を線条体１の両端部に固定している。又、固定具２は、絶縁操作棒５で操作できる（図６から図８参照）。
【００４１】
図１から図５を参照すると、固定具２は、屈曲自在なヒンジ部２１ｈ、一対の鍔片２２ａ・２２ｂ、及び、半円弧状に湾曲した一対の導入凹部２３・２３を有している。ヒンジ部２１ｈは、固定具２の先端部に連続して形成している。一対の鍔片２２ａ・２２ｂは、ヒンジ部２１ｈから延出し、開閉自在に構成している。又、一対の鍔片２２ａ・２２ｂは、それらの対向面を互いに当接できる。
【００４２】
図１から図５を参照すると、一対の導入凹部２３・２３は、ヒンジ部２１ｈと一対の鍔片２２ａ・２２ｂの間に形成している。そして、一対の導入凹部２３・２３には、引下線Ｗｄをその外周方向から導入できる。
【００４３】
図１又は図２を参照して、一対の鍔片２２ａ・２２ｂを閉じた状態では、一対の導入凹部２３・２３は、引下線Ｗｄを外周方向から挟持している。
【００４４】
図１から図５を参照すると、実施形態による電線グリップ１０は、引下線Ｗｄを螺旋状に巻回できる塑性変形自在な線条体１と、先端部を線条体１の両端部に固定し、絶縁操作棒５で操作自在な一対の固定具２・２と、を備え、一方の固定具２を引下線Ｗｄに固定し、他方の固定具２を絶縁操作棒５で把持して、線条体１を引下線Ｗｄに巻き付けた後に、他方の固定具２を引下線Ｗｄに固定することで、碍子から延出した引下線Ｗｄを容易に保持できる。
【００４５】
（線条体の構成）
次に、実施形態による線条体１の構成を説明する。図１から図５を参照して、線条体１は、銅合金線又は軟鉄線などの塑性変形自在な金属線からなることが好ましく、引下線Ｗｄを螺旋状に巻回した変形状態を維持できる。
【００４６】
図２又は図４（Ａ）を参照して、線条体１は、絶縁性を有する被覆材１ａで外周が覆われていることが好ましい。これにより、引下線Ｗｄと線条体１を電気的に絶縁できる。又、被覆材１ａをポリエチレン樹脂で構成することで、引下線Ｗｄとの滑りを抑制できる。
【００４７】
図１から図５を参照して、線条体１の端部は、圧入など固定手段により固定具２の先端部に固定することが好ましい。又、線条体１の端部を固定具２の先端部にモールディングすることで、線条体１の端部を固定具２の先端部に固定できる。
【００４８】
（固定具の構成）
次に、実施形態による固定具２の構成を説明する。図１から図５を参照して、固定具２は、絶縁性を有する合成樹脂からなり、絶縁性を有する合成樹脂を成形して、所望の形状の固定具２を得ることができる。
【００４９】
図３から図５を参照すると、導入凹部２３は、複数の突片２３ｔを内壁から突出している。一対の鍔片２２ａ・２２ｂを閉じた状態では（図１又は図２参照）、複数の突片２３ｔは、引下線Ｗｄの外周に当接できる。そして、引下線Ｗｄを外周方向から確実に挟持できる。
【００５０】
図３又は図５を参照すると、一方の鍔片２２ａは、他方の鍔片２２ｂに向かって突出した突起２２ｔを有している。他方の鍔片２２ｂは、突起２２ｔに嵌合する係止穴２２ｈを開口している。
【００５１】
図２を参照して、開閉自在な一対の把持腕５ａ・５ｂを先端部に有する絶縁操作棒５を用いて（図６から図８参照）、一対の鍔片２２ａ・２２ｂを把持することで、一対の鍔片２２ａ・２２ｂを係止（ロック）できる。
【００５２】
［間接活線工事用電線グリップの作用］
次に、実施形態による電線グリップ１０の使用方法を説明しながら、電線グリップ１０の作用及び効果を説明する。
【００５３】
図５を参照して、最初に、一対の鍔片２２ａ・２２ｂを開いた状態で、一方の鍔片２２ａ又は他方の鍔片２２ｂのいずれか一方を、一対の把持腕５ａ・５ｂで把持し（図２参照）、一対の導入凹部２３・２３の間に引下線Ｗｄを導入する。
【００５４】
次に、図２を参照して、開閉自在な一対の把持腕５ａ・５ｂを先端部に有する絶縁操作棒５を用いて（図６から図８参照）、一対の鍔片２２ａ・２２ｂを把持することで、一方の固定具２を引下線Ｗｄに固定できる。
【００５５】
次に、図２を参照して、他方の固定具２を一対の把持腕５ａ・５ｂで把持し、引下線Ｗｄの周囲を旋回することで、線条体１を引下線Ｗｄの外周に螺旋状に巻回できる（図１参照）。次に、一対の鍔片２２ａ・２２ｂを開いた状態で、一対の導入凹部２３・２３の間に引下線Ｗｄを導入した後に、一対の鍔片２２ａ・２２ｂを把持することで、他方の固定具２を引下線Ｗｄに固定できる。
【００５６】
図１から図５を参照すると、実施形態による電線グリップ１０は、引下線Ｗｄを螺旋状に巻回できる塑性変形自在な線条体１と、先端部を線条体１の両端部に固定し、絶縁操作棒５で操作自在な一対の固定具２・２と、を備え、一方の固定具２を引下線Ｗｄに固定し、他方の固定具２を絶縁操作棒５で把持して、線条体１を引下線Ｗｄに巻き付けた後に、他方の固定具２を引下線Ｗｄに固定することで、碍子から延出した引下線Ｗｄを容易に保持できる。
【００５７】
本発明による間接活線工事用電線グリップは、引下線の外周又は縁線の外周を螺旋状に巻回する金属線を塑性変形自在な線条体で構成しているので、張力が付与されていない状態の引下線の外周又は縁線の外周を容易に巻回できる。
【００５８】
又、本発明による間接活線工事用電線グリップは、引下線又は縁線を固定自在な一対の固定具を線条体の両端部に備えているので、線条体が引下線又は縁線から外れ難い、という効果がある。
【００５９】
本発明による間接活線工事用電線グリップは、以下の効果を期待できる。
（１）間接活線工具を用いて、引下線又は縁線に電線グリップを容易に取付できる。
（２）張力が付与されていない引下線又は縁線に対応できる。
（３）風などに起因する振動によって、電線グリップが外れることを防止できる。
【００６０】
本発明による間接活線工事用電線グリップは、引下線又は縁線のフォームを維持できる間接活線工事用電線グリップを開示したが、本発明による間接活線工事用電線グリップは引下線又は縁線に限定することなく、一般的な電線に応用することもできる。
【符号の説明】
【００６１】
１  線条体
２・２  一対の固定具
５  絶縁操作棒
５ａ・５ｂ  一対の把持腕
１０  電線グリップ（間接活線工事用電線グリップ）
２１ｈ  ヒンジ部
２２ａ・２２ｂ  一対の鍔片
２３・２３  一対の導入凹部
Ｗｄ  引下線
Ｗｅ  縁線
【図１】
2018011402.tif 000003
【図２】
2018011402.tif 000004
【図３】
2018011402.tif 000005
【図４】
2018011402.tif 000006
【図５】
2018011402.tif 000007
【図６】
2018011402.tif 000008
【図７】
2018011402.tif 000009
【図８】
2018011402.tif 000010
【図９】
2018011402.tif 000011
【図１０】
2018011402.tif 000012